(57)【特許請求の範囲】
【請求項１】
継手管内に設けられたピストンをバネの拡張力によりスプリンクラーヘッドのノズルに設けられた弁の作動時における降下に追随させて、鋼球を利用した係合手段の係止を解除して前記継手管内における弁棒と該弁棒に結合する弁体を応動させることにより、前記継手管に螺入されている弁座と前記ノズルとを開放して給水管内の空気圧を排除してから消火用の加圧水を継手管内に導入して散水する乾式型閉鎖スプリンクラーヘッド用アダプタにおいて、
前記弁座と弁体を摺動接触させて、前記係合手段の係止の解除に伴い前記弁体を上昇させることを特徴とする乾式型閉鎖スプリンクラーヘッド用アダプタ。
【請求項２】
前記継手管にネジで固定されるスプリンクラーヘッドの螺合深さを規制する規制手段を設けたことを特徴とする請求項１記載の乾式型閉鎖スプリンクラーヘッド用アダプタ。
【請求項３】
前記バネを外バネと内バネの２つのバネで構成して内バネで前記ピストンを降下させて外バネで前記弁体を上昇させることを特徴とする請求項１記載の乾式型閉鎖スプリンクラーヘッド用アダプタ。
【発明の詳細な説明】
【０００１】
【産業上の利用分野】
本発明は、乾式型閉鎖スプリンクラーヘッド用アダプタに関するものである。
【０００２】
【従来の技術】
図３は従来の乾式型閉鎖スプリンクラーヘッド用アダプタ（特開平４−１５０８７３）の構成説明図、図４は図３の要部の斜視断面図である。
図３と４において、１０は本体、１３は止めネジ、２０は弁座、３０はリング状のパッキンを設けた弁体、４０は支軸、５０は突条５１を形成したホルダ、６０は穴６４を設けたステムカバー、６３はステムカバー６０を留置く圧縮バネ、７０は溝７３を形成したステム、８０は連結軸、８３は支軸４０全体を押し下げる圧縮バネである。
【０００３】
６５はステムカバー６０の上昇を阻止するリング、７２はステム７０を上昇させる圧縮バネ、７４はボールである。ボール７４は平時には、図３に示すように穴６４内で突条５１と溝７３の間に挾まれて移動が阻止されている。また、Ｐは配管、Ｓはスプリンクラーヘッド、ＬはスプリンクラーヘッドＳの分解部分、Ｎはノズル、Ｖは弁である。スプリンクラーヘッドＳは牝ネジ１２に途中まで螺入されて、本体１０に取付けられている。
【０００４】
このような構成の従来の乾式型閉鎖スプリンクラーヘッド用アダプタにおいて、火災が発生してスプリンクラーヘッドＳが作動して弁Ｖが下降すると圧縮バネ８３により支軸４０全体が押し下げられる。支軸４０の降下でボール７４が突条５１と溝７３から抜け出し、圧縮バネ７２によりステム７０が押し上げられる。そして、支軸４０の全長が縮小されて弁座２０とノズルＮが開放されて、配管Ｐ内の空気がスプリンクラーヘッドＳから抜ける。この結果、水源のポンプが回動して配管Ｐ内に水が送られ、作動したスプリンクラーヘッドＳから水が散布される。
【０００５】
【発明が解決しようとする課題】
上記構成の従来の乾式型閉鎖スプリンクラーヘッド用アダプタの発明は、支軸４０先端のステム７０がスプリンクラーヘッドＳのノズルＮよりも上方に上がってしまうため、ノズル径を細くして散水量を減らすことがないという特徴がある。しかしながら、その半面において、次のａ〜ｄのような問題点を挙げることができる。
【０００６】
ａ．弁Ｖに接触して摺動する構造のステム７０の外側は、ステムカバー６０とホルダ５０及び本体１０が３重になって取り巻かれている。しかも、ステムカバー６０の内外の隙間には、２つの圧縮バネ６３，７２とボール７４が介装されている。したがって、構造が複雑で細い支軸４０の太さに対応して組立てが面倒になり、三本の止めネジ１３の捩込み具合で本体１０の中空空間に無定位に保持されたホルダ５０の芯合わせも極めて難しい。
【０００７】
ｂ．スプリンクラーヘッドＳの不作動時（警戒時）に、弁体３０を弁座２０に一定圧で接触させると共に、ステム７０の先端側も弁Ｖに隙間なく接触させて本体１０内を気密に保持することが必要である。
しかしながら、スプリンクラーヘッドＳの螺入には実質的にストッパー機構が設けられていないので、牝ネジ１２への螺合深さにより上記の接触圧等が著しく変動する。したがって、上下の弁体３０と弁Ｖとの気密性に不具合が生じ易い。
【０００８】
ｃ．弁Ｖには支軸４０を介してステム７０の先端から、以下の３つの力が加わっている。
(1) 弁体３０が弁座２０を押圧する接触圧に等しい反力Ｆ1
(2) 配管Ｐ内に封入された圧縮空気が弁体３０を下方へ押す力Ｆ2
(3) 圧縮バネ８３が支軸４０を下方に押す力Ｆ3
Ｆ1 はｂで述べた接触圧に等しく、この力が組み立て時に設計値通りに得られたとしても、この３つの力の合力が弁Ｖを封鎖する力を越えた場合は、弁Ｖの気密性に不具合を生じる。更に配管Ｐ内の空気圧はばらつきがあるため、Ｆ2 にもばらつきがある。このばらつきがあるＦ2 の力、及びＦ1 とＦ3 の合力にも対応可能な、弁Ｖを封鎖する力を特別に大きく設定されたスプリンクラーヘッドが必要となってしまう。即ち、従来の通常のスプリンクラーヘッドが使用できないことになる。
ｄ．圧縮バネ６３は組立時にステムカバー６０の上方に止め置くために設けられており（499 頁上左欄）、散水動作に直接的に寄与する機能がなくそれだけ部品点数が増加する。
【０００９】
本発明は、このような従来の乾式型閉鎖スプリンクラーヘッド用アダプタの問題点を解消するためになされたもので、構成が簡単で組立てが容易になり、しかも通常の閉鎖式スプリンクラーヘッドを無理なく使用できる乾式型閉鎖スプリンクラーヘッド用アダプタを実現することを目的とするものである。
【００１０】
【課題を解決するための手段】
この発明は、継手管内に設けられたピストンをバネの拡張力によりスプリンクラーヘッドのノズルに設けられた弁の作動時における降下に追随させて、鋼球を利用した係合手段の係止を解除して継手管内における弁棒とこの弁棒に結合する弁体を応動させることにより、継手管に螺入されている弁座とノズルとを開放して給水管内の空気圧を排除してから消火用の加圧水を継手管内に導入して散水する乾式型閉鎖スプリンクラーヘッド用アダプタにおいて、弁座と弁体を摺動接触させて、係合手段の係止の解除に伴い弁体を上昇させて開放する乾式型閉鎖スプリンクラーヘッド用アダプタを構成したものである。
また、継手管にネジで固定されるスプリンクラーヘッドの螺合深さを規制する規制手段を設けた乾式型閉鎖スプリンクラーヘッド用アダプタを構成したものである。
さらに、バネを外バネと内バネの２つのバネで構成して内バネでピストンを降下させて外バネで弁体を上昇させる乾式型閉鎖スプリンクラーヘッドを構成したものである。
【００１１】
【作用】
ヘッドの不作動時（警戒時）には、係合手段の鋼球が係止されて、弁体が継手管の内部で係止位置に保持されている。そして、外バネと内バネは共に圧縮状態に保たれて、ピストンの下部の先端がヘッドのノズルの弁に接触し弁棒に結合する弁体が弁座内に停止していて給水管内の空気圧が封鎖されている。
【００１２】
火災が発生すると天井に取付けられたヘッドが火災の熱を検知して、分離部が分離して弁が降下する。同時に、ピストンが応動して、内バネのバネ圧を受けて押し下げられる。このため、係合手段の鋼球による係止が解除され、これに伴い外バネの強い拡張力が弁体に加えられて、弁体を上昇させる。
【００１３】
この結果、弁座とノズルが開放されて給水管内の圧縮空気がヘッドから流出し、給水管のポンプが駆動されて消火用水が継手管を通してヘッドに送られて床面に散水されるようになっている。
【００１４】
【実施例】
実施例１．
以下、この発明の実施例を、図面を用いて説明する。
図１はこの発明の実施例の構成を示す断面図である。本発明実施例では従来装置と一部の同等な部分でも異なる名称と符号が付されている。
図１において、１は乾式型閉鎖スプリンクラーヘッド用アダプタの本体である。２は本体１の継手管、３は開口端に円筒状の弁座３１を設けた上部コネクタ、４は相互に螺合する内外２つの円筒４１，４２よりなり組合せ型の下部コネクタである。上部と下部のコネクタ３と４は、それぞれ継手管２の上下に形成された雌ネジ２１と２２に螺入されている。また、下部コネクタ４の内筒４１の内周面には雌ネジ４３を設けた突出部４４と水抜孔４５が設けられ、外筒４２の内周面には段部４６が形成されている。
【００１５】
５は継手軸である。５１は継手軸５における弁体、５２は弁棒、５３はピン止めである。弁体５１の外周にはＯリング５４が巻装されて、上部コネクタ３の弁座３１内で気密に摺接する。５５はスプリングピン、５６はリング、５７はリング５６と下部コネクタ４の間に介装された外バネである。スプリングピン５５はピン止め５３の直径方向に貫設された孔に圧入され、リング５６を介して外バネ５７の拡張力を継手軸５に加える。
【００１６】
５８は接続筒、５９は接続筒５８にネジ６１で結合されたシリンダである。接続筒５８はピン止め５３の下部に嵌合し、下端の雄ネジ６２に螺合してシリンダ５９をピン止め５３に連結する。６３はシリンダ５９の軸心を貫く摺動孔、６４（図２参照）は保持孔である。また、６５は内バネ、６６はバネ受け６７と係止鍔６８を形成したピストン、６９は鋼球である。保持孔６４は鋼球６９が挿入される大きさに作られ、全部は示されていないがシリンダ５９の円筒部に等角間隔に３個所に設けられている。
【００１７】
そして、継手管２内に設けられたピストン６６や継手軸５等は、次に説明するスプリンクラーヘッドの作動に追随して応動する。７はスプリンクラーヘッド（以下、単にヘッド）、７１はヘッド７のノズル、７２はシーリングプレート、７３は弁、７４は分離部、７５は感熱部である。ヘッド７はノズル７１の平面部７６を突出部４４に圧接させて、雄ネジを螺入して下部コネクタ４に取り付けられている。８は天井、９は上部コネクタ３を接続した給水管である。
【００１８】
このような構成の本発明実施例は、次のように組立てられる。
ａ．シリンダ５９の中にピストン６６と内バネ６５を入れ、接続筒５８を面当りするまで  螺入して組付ける。
ｂ．ａの組付け部品を逆さにして、治具によりピストン６６を接続筒５８側に引き寄せ係  止鍔６８が保持孔６４の位置にくるまでシリンダ５９の中の内バネ６５を圧縮しながら  、上から下部コネクタ４の外筒４２をシリンダ５９に嵌め、３個の鋼球６９を順次挿入  して鋼球６９を段部４６に落し込む。この接続筒５８側の引き寄せ操作で、図１のよう  に鋼球６９がそれぞれ保持孔６４の内部で下部コネクタ４の段部４６と係止鍔６８に係  止される。
【００１９】
ｃ．ヘッド７を、下部コネクタ４の内筒４１に連結する。この際、ヘッド７側の平面部７  ６を下部コネクタ４側の突出部４４に圧接し、規定の捩じ込み深さまで螺合しｂの組付  け部品の外筒４２に内筒４１を面当りするまで螺入する。それからｂの治具を取り外す  。
ｄ．接続筒５８とピン止め５３と弁棒５２及び弁体５１を、ネジで結合する。
この場合も、確実に面当りさせて、軸方向の長さを均一にさせる。
ｅ．次のスプリングピン５５の圧入作業には、円筒や環状の複数の治具と押し棒の付いた  圧入治具が使われる。詳しい説明は省略するが、円筒や環状の治具でリング５６の上か  ら外バネ５７を圧縮状態に保持してピン止め５３に、直径方向からスプリングピン５５  が圧入される。
【００２０】
ｆ．その後、弁体５１にＯリングとキャップシールが装着され、下部コネクタ４に継手管  ２と上部コネクタ３が螺合されて本体１の組付けが終了する。組付け時に、各部品のネ  ジの螺合部には必要に応じて接着剤が塗布されて気密が保たれ、摺動部にはグリース等  の潤滑剤が塗られて動作を円滑にするための処理が施される。
【００２１】
次に、本発明実施例の散水動作を、次に説明する。
ヘッド７の不作動時（警戒時）には、外バネ５７の上方への押圧力は、給水管９内に封入された圧縮空気の空気圧による弁体５１の下方への押圧力よりも十分に大きく設定されているので、弁体５１が下方へ移動して弁座３１を外れることはない。また、保持孔６４内の鋼球６９が段部４６に係止しているので、外バネ５７の上方への押圧力によって継手軸５が上方に動き弁体５１が上方に移動して弁座３１を外れるということはない。このように、３個の鋼球６９がそれぞれ保持孔６４の内部で下部コネクタ４の段部４６と係止鍔６８に係止されて、継手軸５が図１に示す状態に保持されている。また、弁７３には給水管９内の空気圧等からの力は継手軸やピストンを介しても伝わっておらず、ピストン６６を介して内バネ６５の圧縮力のみによって押し下げられている。したがって弁７３は、ピストン６６を押し下げ可能な軽度な力で押圧されているので、弁７３に特別な封鎖力を有するスプリンクラーヘッドは要しない。そして、外バネ５７と内バネ６５は共に圧縮状態に保たれて、ピストン６６の下部の先端が弁７３に接触し弁体５１が弁座３１内に停止していて給水管９内の空気圧が封鎖されている。
【００２２】
火災が発生すると天井８に取付けられたヘッド７が火災の熱を検知して、分離部７４が分離して弁７３が降下する。同時に、ピストン６６が、内バネ６５のバネ圧を受けて押し下げられる。このため、段部４６と係止鍔６８に係止されていた鋼球６９がピストン６６の軸心方向に引き寄せられて、バネ受け６７と係止鍔６８の間に落込んでリング５６の係止を解放する。
【００２３】
そして、外バネ５７の拡張力がリング５６に加えられて、スプリングピン５５が上部コネクタ３に当接する位置、又は弁体５１が給水管９の上内壁に当接する位置までシリンダ５９と一体に継手軸５を上昇させる。この結果、弁座３１とノズル７１が開放されて給水管９内の空気圧がヘッド７から流出し、図示されていないポンプが駆動されて、消火用の加圧水が本体１を通してヘッド７に送られて床面に散水されるようになっている。
【００２４】
このときの本体１の状態が、図２に示されている。図示のように、ヘッド７の作動時には、ピストン６６がシリンダ５９から僅かに突出して、継手軸５と共に上方に移動することになる。
【００２５】
なお、上述の本発明の実施例では内筒４１と外筒４２を組み合わせた下部コネクタ４を例示して説明したが、内筒４１と外筒４２を一体にした一体型の下部コネクタ４で構成してもよく、継手管に弁座を設けてもよい。また、分離部７４がリンク型のスプリンクラーヘッドの外に、金属溶融型のスプリンクラーヘッド等を用いることもでき、組立て用の治具についても必ずしも実施例に限定するものではない。
【００２６】
【発明の効果】
この発明は、継手管内に設けられたピストンをバネの拡張力によりスプリンクラーヘッドのノズルに設けられた弁の作動時における降下に追随させて、鋼球を利用した係合手段の係止を解除して継手管内における弁棒とこの弁棒に結合する弁体を応動させることにより、継手管に螺入されている弁座とノズルとを開放して給水管内の空気圧を排除してから消火用の加圧水を本体内に導入して散水する乾式型閉鎖スプリンクラーヘッド用アダプタにおいて、弁座と弁体を摺動接触させて、係合手段の係止の解除に伴い弁体を上昇させて開放する乾式型閉鎖スプリンクラーヘッド用アダプタを構成した。
また、継手管にネジで固定されるスプリンクラーヘッドの螺合深さを規制する規制手段を設けた乾式型閉鎖スプリンクラーヘッド用アダプタを構成した。
さらに、バネを外バネと内バネの２つのバネで構成して内バネでピストンを降下させて外バネで弁体を上昇させる乾式型閉鎖スプリンクラーヘッド用アダプタを構成した。
【００２７】
この結果、従来装置のように組立て時だけに使われるバネも無く、ピストンが本体の中空空間に無定位に保持されていないので、構成が簡単で組立てや芯合わせが極めて容易になる。また、弁体を弁座に摺動接触させているので、弁体と弁座の接触圧に無関係にピストンの先端をスプリンクラーヘッドの弁に所定の軽度な押圧力で接触させることができる。特に、スプリンクラーヘッドの螺合には螺入深さを規制する規制手段を設けたので、一層組立てが容易になる。したがって、上下の弁体と弁との気密性に不具合が生じることがない。
【００２８】
よって、本発明によれば、構成が簡単で組立てが容易になり、しかも通常の閉鎖式スプリンクラーヘッドを無理なく使用できる乾式型閉鎖スプリンクラーヘッド用アダプタを提供することができる。
【図面の簡単な説明】
【図１】この発明の実施例の構成説明図である。
【図２】この発明の実施例の動作説明図である。
【図３】従来の乾式型閉鎖スプリンクラーヘッド用アダプタの構成説明図である。
【図４】図３の要部の斜視断面図である。
【符号の説明】
１  本体
２  継手管
５  継手軸
７  スプリンクラーヘッド
８  天井
９  給水管
３１  弁座
４６  段部
５１  弁体
５２  弁棒
５７  外バネ
５９  シリンダ
６３  摺動孔
６４  保持孔
６５  内バネ
６６  ピストン
６８  係止鍔
６９  鋼球
７１  ノズル
７３  弁
７４  分離部（分解部）
７６  平面部
【図１】
0003622121.tif 000002
【図２】
0003622121.tif 000003
【図３】
0003622121.tif 000004
【図４】
0003622121.tif 000005